(57)【特許請求の範囲】
【請求項１】
気流が流れる流通路の途中に接続されていて、一方向からの気流を受けると開となり、他方からの逆気流を受けると閉となるように構成した逆止弁であって、
全体を略円筒状に造った逆止弁本体の内部に、内部通路を横切るように取付軸を架設し、この取付軸には少くとも２枚一組で上記内部通路を塞ぐことができる左右の弁板を、一方向からの気流を受けると先端側を内部通路の気流出口に向け、且つ、双方の先端側を少し開いた開の状態に回動するように開閉作動自在に枢着すると共に、上記内部通路の気流入口側に、上記左右の弁板の回動を内部通路を閉じた閉の位置で係止する弁座を設け、上記内部通路の内側面には、先端部を上記左右の弁板の回動通路上に突出していて、逆気流が生じて左右の弁板が閉方向に回動する時は押圧されてその通過を可能とするが、左右の弁板が上記閉の位置に回動すると押圧が解かれて元の位置に復帰し、左右の弁板が開の方向に戻らないように係止するストッパーを設けて、上記閉の位置に回動した左右の弁板を上記弁座とストッパーの間でロックするように構成したことを特徴とする逆止弁。
【請求項２】
一方向からの気流を受けて双方の先端側を少し開いた開状態に回動する左右の弁板の内角を、少くとも６度〜１８度の範囲内の角度で開くように構成したことを特徴とする請求項１に記載の逆止弁。
【請求項３】
逆止弁本体の内部通路に、前記開状態に回動した左右の弁板の内側面に接して、左右の弁板の内角を少くとも６度〜１８度の範囲内にすることができる制止軸を、前記取付軸に並べて架設したことを特徴とする請求項１又は２に記載の逆止弁。
【請求項４】
左右の弁板の間を、逆気流を受けると簡単に切断又は外れる紐状或はバンド状の係止部材を用いて、予め開状態に仮り止めするように構成したことを特徴とする請求項１、２又は３に記載の逆止弁。
【発明の詳細な説明】
【０００１】
【発明の属する技術分野】
本発明は、例えば集塵機のダスト吸引管路や、集塵装置に繋がる管路等の途中に接続されて、一方向からの気流を受けると管路（経路）を開とし、他方向からの逆気流を受けると管路を閉とするように構成した逆止弁に関するものである。
【０００２】
【従来の技術】
例えば、実開昭５７−１２８３２３号公報で開示された「集塵機の爆発放散装置」には、集塵機の吸引側の吸塵口に逆止弁を備えた構成が記載されている。
この集塵機は、集塵運転している時は逆止弁が集塵機内部の負圧により開状態になって、外部からの含塵気流の吸引を可能にする一方、集塵運転を停止すると、集塵機内が常圧になって逆止弁を閉状態となる仕組に成っており、また、集塵運転中に集塵機内で爆発等の事故が発生した場合には、その逆気流によって逆止弁が閉じて爆発による爆風を阻止する働きを発揮するように構成されている。
【０００３】
また、実公昭６１−３９８８４号公報に記載されている「上昇流路用逆止弁」は、一対の弁体を管の気流方向に対して垂直に使用して、気流が流れる方向（下から上へ）には開とし、流れが停止したり、逆気流（上から下へ）に対しては閉と成るように構成されている。
【０００４】
【発明が解決しようとする課題】
しかしながら、上述した従来の各逆止弁は、気流の吸引中は流通路を常に開にするために、逆止弁を重力に抗して開と成るように作用せしめる必要があるので、その分だけ圧力損失が生じることになって、吸引効率を悪くする問題があった。
【０００５】
従って本発明の技術的課題は、通常運転時に於ける圧力損失を少なくし、爆発事故等の発生によって逆風が生じた場合に弁を遮断し、且つ、火炎等の逆流を阻止するように閉状態を維持すると共に、全体を小型化して設置スペースを少なくし、コストを低くすることができる逆止弁を提供することである。
【０００６】
【課題を解決するための手段】
上記の技術的課題を解決するために本発明で講じた手段は以下の通りである。
【０００７】
（１）  気流が流れる流通路の途中に接続されていて、一方向からの気流を受けると開となり、他方からの逆気流を受けると閉となるように構成した逆止弁であって、全体を略円筒状に造った逆止弁本体の内部に、内部通路を横切るように取付軸を架設し、この取付軸には少くとも２枚一組で上記内部通路を塞ぐことができる左右の弁板を、一方向からの気流を受けると先端側を内部通路の気流出口に向け、且つ、双方の先端側を少し開いた開の状態に回動するように開閉作動自在に枢着すると共に、上記内部通路の気流入口側に、上記左右の弁板の回動を内部通路を閉じた閉の位置で係止する弁座を設け、上記内部通路の内側面には、先端部を上記左右の弁板の回動通路上に突出していて、逆気流が生じて左右の弁板が閉方向に回動する時は押圧されてその通過を可能とするが、左右の弁板が上記閉の位置に回動すると押圧が解かれて元の位置に復帰し、左右の弁板が開の方向に戻らないように係止するストッパーを設けて、上記閉の位置に回動した左右の弁板を上記弁座とストッパーの間でロックするように構成すること。（請求項１）
【０００８】
（２）  一方向からの気流を受けて双方の先端側を少し開いた開状態に回動する左右の弁板の内角を、少くとも６度〜１８度の範囲内の角度で開くように構成すること。（請求項２）
【０００９】
（３）  逆止弁本体の内部通路に、前記開状態に回動した左右の弁板の内側面に接して、左右の弁板の内角を少くとも６度〜１８度の範囲内にすることができる制止軸を、前記取付軸に並べて架設すること。（請求項３）
【００１０】
（４）  左右の弁板の間を、逆気流を受けると簡単に切断又は外れる紐状或はバンド状の係止部材を用いて、予め開状態に仮り止めするように構成すること。  （請求項４）
【００１１】
上記（１）で述べた請求項１に係る手段によれば、逆止弁本体の内部通路に一方からの気流が流れている時（集塵機等の通常吸塵運転時）には、左右の弁板はこの気流の流れに沿って自然に内部通路を開いた開の状態に成り、また、爆発等によって逆気流が発生した場合には、逆気流が流れて来る方向に向けて先端側を少し開いた状態にある左右の弁板が、この逆気流によって内部通路を閉じる方向に回動するため、圧力損失を最小限に抑えることができると共に、閉じる方向に回動した左右の弁板はストッパーと弁座の間にロックされるため、火炎や爆風等の逆流を確実に防止することを可能にする。
【００１２】
上記（２）と（３）で述べた請求項２及び３に係る手段によれば、６度〜１８度の範囲内で先端側を開いた開状態の左右の弁板は、圧力損失が比較的少なく、且つ、爆発等による逆気流によって回動して内部通路を閉じる遮断動作も確実に行うことができる。尚、６度は機械的構造上可能な最小限の角度である。
【００１３】
上記（４）で述べた請求項４に係る手段によれば、２枚の弁板は気流の流通に関係なく常に係止部材によって内部通路を開いた開状態に支持されているため、圧力損失を可及的に少なくすることができると共に、爆発等による逆気流が発生した時には、その圧力によって係止部材が直ちに切断したり外れたりして、左右の弁板を速やかに閉じる方向に回動させることができるため、２枚の弁板による遮断動作を確実に行うことを可能にする。
【００１４】
【発明の実施の形態】
以下に、上述した本発明に係る逆止弁の実施の形態を図面と共に説明すると、図１は全体の斜視図、図２は弁が開いている状態の正面図で、図３はその背面図、図４は図２のＸ−Ｘ線に沿った断面図、図５は同じく図２のＹ−Ｙ線に沿った断面図、図６は弁が閉じている状態の正面図、図７は図６のＷ−Ｗ線に沿った断面図であって、これ等の図面に於いて符号１で全体的に示したのは本発明に係る逆止弁、２は全体を略円筒状に形成した逆止弁本体、２Ｒはその内部通路で、３と４はこの逆止弁本体２の気流入口３Ａ側と、気流出口４Ａの夫々に設けた接続用フランジを示し、各フランジ３，４には接続ボルト（図示省略）用の穴３Ｂ…，４Ｂ…が設けられている。
【００１５】
２Ｓは、上記内部通路２Ｒの気流入口３Ａ側に、内部通路２Ｒを横切るように架設した取付軸、９はこの取付軸２Ｓに対して気流出口４Ａ側に少し間隔をあけた状態で並べて架設した制止軸を示す。５と６は図８に示すように２枚一組で上記内部通路２Ｒを塞ぐことができるように、夫々半円形状に形成した左右の弁板、５Ａ，６Ａはこれ等各弁板５，６の内側縁に連設した軸承部で、断面略円筒状に形成したこれ等各軸承部５Ａ，６Ａの内部挿通孔５Ｂ，６Ｂに、前記取付軸２Ｓを挿通することによって、上記左右の弁板５，６が各先端を気流出口４Ａの方向に向けた状態で回動自在に枢着されている。
【００１６】
以上の如く構成した左右の弁板５，６は、図４に示すように一方向から内部通路２Ｒ内に気流が流通している時（通常流通時）には、その気流の流れに押されて各先端側を気流出口４Ａの方向に向けた状態、即ち、内部通路２Ｒを開いた開の位置に回動して、圧力損失を少ない状態に保ちながら気流の流通を可能にしている。また、左右の弁板５，６が上記開の位置に回動すると、各弁板５，６の内側面が取付軸２Ｓに並設した前記制止軸９に接して、その回動を両弁板５，６の先端側が気流出口４Ａに向けて少し開いた状態、即ち、両弁板５，６の内角が６度〜１８度の範囲の角度で開いた状態に制止されて、図７に示すように爆発等によって気流出口４Ａ側から逆気流が流入した時に、この逆気流の圧力を受けて両弁板５，６が速やかに閉方向に回動するように体勢が整えられている。
【００１７】
尚、図４に於いて符号ＡＸで示したのは、上記左右の弁板５，６を、予め内角が６度〜１８度開いた上記開の状態に係止しておく係止部材で、選択的に用いられるこの係止部材ＡＸは、逆気流を受けると簡単に切断又は外れる構成の紐状、或は、バンド状のものが使用されている。
【００１８】
７は、上記内部通路２Ｒの気流入口３Ａの内周面に突設した弁座、７Ｘ，７Ｘはこの弁座７の左右対向する部分に形成した切れ目であって、上記取付軸２Ｓの両端部はこれ等左右の切れ目７Ｘ，７Ｘの部分で、内部通路２Ｒの内壁面に装着固定されていて、上記左右の弁板５，６が逆気流によって内部通路２Ｒを閉じる方向に回動した時に、上記の弁座７がこれ等回動した左右の弁板５，６を上記内部通路２Ｒを閉じた閉の位置に係止する仕組に成っている。
【００１９】
８，８は、上記逆止弁本体１の気流出口４Ａ側の内側面に、根端取付板８Ａ，８Ａを取付けることにより、内部通路２Ｒを挾んでその左右両側に相対向させて設けた左右のストッパーで、全体を板バネのような弾性を備えた部材を用いて構成したこれ等左右のストッパー８，８は、気流入口３Ａに向けて突出する各先端８Ｔ，８Ｔ側を、上記左右の弁板５，６の回動通路上に突出するように、内部通路２Ｒの中心に向けて少し内寄りに傾斜させた形状に作られている。
【００２０】
以上の如く構成した左右のストッパー８，８は、図７に示すように爆発等による逆気流が発生して、左右の弁板５，６がその強い圧力を受けて閉方向に回動する時に、各弁板５，６の先端に押されて屈曲し、弁板５，６を内部通路２Ｒを塞ぐ閉の位置へ回動することを可能にするが、弁板５，６が図６並びに図７の如く閉の位置に回動して、各弁板５，６の先端がストッパー８，８の各先端８Ｔ，８Ｔと弁座７の間のロック間隔８Ｋ，８Ｋに入ると、各弁板５，６による押圧が解かれて各先端８Ｔ，８Ｔを回動通路上に再び突出させて、閉の位置に回動した左右の弁板５，６を閉の状態、即ち、ロック間隔８Ｋ，８Ｋの位置にロックする仕組に成っている。
【００２１】
しかし、各ストッパー８，８は爆発等の強い圧力を受けない限り、各弁板５，６によって簡単に押圧屈曲されない比較的強い弾性を備えているため、気流の流通を止めた時に、弁板５，６が自重等によってストッパー８を押圧移動して、不用意にロック間隔８Ｋ内にロックされてしまうことはない。
【００２２】
また、上記左右のストッパー８，８を指や道具類を用いて押し戻すことにより、ロックを簡単に解除して、再び弁板５，６を回動可能な状態に戻すことができる。尚、図面にはストッパー８，８が左右２個設けたものが記載されているが、これは実施の一例であって、その取付本数は任意とする。また、図面には２枚の弁板５，６を用いて内部通路２Ｒを開閉する構成が示されているが、弁板を２枚以上の複数枚に構成して内部通路２Ｒを開閉するようにしてもよく、その選択は任意とする。
【００２３】
図９は、上記ストッパー８の構成を示したもので、（イ）はその側面図、（ロ）は平面図、（ハ）は正面図であって、これ等の図面に於いて、８Ｘはストッパー８の根端部を取付板８Ａに固着する熔接部、８Ｂは取付板８Ａに設けた取付穴を示す。
【００２４】
本発明に係る逆止弁は以上述べた如き構成であるから、この逆止弁１を例えば集塵機の吸引ダクト（吸引管路）の途中に接続すれば、通常の吸引運転時には気流によって左右の弁板５，６が図２乃至図５に示した開状態に回動されるか、又は、図４に示すように予め係止部材ＡＸによって開状態に仮り止めされているため、含塵気流を少ない圧力損失の基で集塵機側に吸引させることができる。
【００２５】
また、集塵運転中に集塵機側で爆発事故等が発生して逆気流が内部通路２Ｒに流入した時は、その圧力で弁板５，６が閉位置に回動して内部通路２Ｒを遮断し、且つ、弁板５，６をその閉位置にロックするため、爆発等による爆風や火炎等の逆流を確実に遮断して、事故による被害の拡大を阻止することができる。
【００２６】
また、逆止弁１の全体を逆止弁本体２と、２本の軸２Ｓ，９と、少くとも２枚の弁板５，６と、ストッパー８，８及び弁座７から成る少ない数の部品で造ることができるため、比較的小型で設置スペースが少なく、コストの安い逆止弁を提供することができる。
【００２７】
【発明の効果】
以上述べた次第で、本発明に係る逆止弁によれば、通常使用時に於ける圧力損失を出来るだけ少なくすることができ、また、爆発事故等によって爆風や火炎等が発生した場合には、弁板が閉位置に回動して爆風や火炎等の逆流を確実に遮断して、高い安全性を発揮できるものであって、全体が小型で設置スペースが少なく、低コストにて製造できる点と相俟って、例えば集塵機のダスト吸引側や、集塵装置に繋がる管路等に実施して、洵に好適なものである。
【図面の簡単な説明】
【図１】本発明に係る逆止弁の外観を明示した斜視図である。
【図２】その正面図である。
【図３】同じく背面図である。
【図４】図２のＸ−Ｘ線に沿った断面図である。
【図５】図２のＹ−Ｙ線に沿った断面図である。
【図６】弁板が閉じた状態の正面図である。
【図７】図６のＷ−Ｗ線に沿った断面図である。
【図８】（イ）は２枚の弁板を分解して示した平面図、（ロ）は弁板の側面図、（ハ）は（ロ）のＺ部分を拡大して示した側面図である。
【図９】（イ）はストッパーの側面図、（ロ）はその平面図、（ハ）は正面図である。
【符号の説明】
１              逆止弁
２              逆止弁本体
２Ｒ            内部通路
２Ｓ            取付軸
３Ａ            気流入口
４Ａ            気流出口
５，６          弁板
７              弁座
８              ストッパー
８Ｔ            先端
８Ｋ            ロック間隔
ＡＸ            係止部材
【図１】
0004048059.tif 000002
【図２】
0004048059.tif 000003
【図３】
0004048059.tif 000004
【図４】
0004048059.tif 000005
【図５】
0004048059.tif 000006
【図６】
0004048059.tif 000007
【図７】
0004048059.tif 000008
【図８】
0004048059.tif 000009
【図９】
0004048059.tif 000010